(57)【要約】【課題】  電装モジュールに設けられたリアクタを充分に冷却できるとともに、同リアクタから発生する振動の伝搬を防止することのできる空気調和機の室外機を提供する。【解決手段】  リアクタ１０のベース板１０ａは円筒状の第一スペーサ１２を介して、制振鋼板からなり、長孔状の通風孔１１ａを多数穿設した台座１１に螺子１３により螺着されるようになっている。台座１１の周縁に設けられた切欠きには、ゴム材あるいは軟質樹脂材等の弾性材からなる円筒状の第二スペーサ１４が上下に配置され、同第二スペーサ１４の挿通孔を螺子１５が挿通し、シャーシ９ａに穿設された螺子孔に螺合することにより前記台座１１は前記シャーシ９ａに固定されるようになっている。【選択図】図３
2006329488.tif 000002
【特許請求の範囲】
【請求項１】
電装モジュールにリアクタを設けてなる空気調和機の室外機において、
前記リアクタのベース板を、第一スペーサを介して台座に固定する一方、同台座を、第二スペーサを介して前記電装モジュールのシャーシに固定してなることを特徴とする空気調和機の室外機。
【請求項２】
前記台座が制振材から形成されてなることを特徴とする請求項１に記載の空気調和機の室外機。
【発明の詳細な説明】
【技術分野】
【０００１】
本発明は、空気調和機の室外機に係わり、より詳細には、インバータ回路に使用されるリアクタの取付構成に関する。
【背景技術】
【０００２】
従来の空気調和機の室外機は、例えば図４の分解斜視図で示すように、電装モジュールを構成している。電装モジュールを構成するシャーシ５０は一端に折曲された段部を形成し、同段部の近傍にリアクタ５１を載置して固定し、他端に外部の配線と接続される端子台５２を設けている。ケース５４は上面と下面とが開放された箱体状に形成され、前記リアクタ５１に対応する部位に遮蔽部５４ａを形成している。コンデンサ、抵抗の電子部品及びはヒートシンク等を搭載した電装基板５３は電子部品側が下面となるように前記ケース５４に装着され、更にケース５４の開放された上面には蓋５５が被着されるようになっている（例えば、特許文献１参照。）。
【０００３】
前記リアクタ５１から発生した大量の熱は周囲に放出されるとともに、上昇するが前記ケース５４に形成された遮蔽部５４ａにより遮蔽され、極力前記電装基板５３に影響を与えないようになっている。
【０００４】
しかしながら、前記リアクタ５１の周囲に熱が滞留して同リアクタ５１が加熱され、その製品寿命及び性能に影響を与える場合があり、又、同リアクタ５１から発生する振動が前記シャーシ５０から、これを支持する取付金具等を介して外郭筐体に伝搬し、騒音を発生させる等の不具合が生じる場合があり、対策が求められていた。
【０００５】
【特許文献１】特開平１０−２２７４８９号（３頁、図１）
【発明の開示】
【発明が解決しようとする課題】
【０００６】
本発明は、上記問題点に鑑み、リアクタから発生する熱を充分に放散できるようにしてその製品寿命及び性能を維持できる一方、同リアクタから発生する振動が外郭筐体等に伝搬しないようにして騒音等の発生を的確に防止することのできるリアクタの取付構造を備えた空気調和機の室外機を提供することを目的とする。
【課題を解決するための手段】
【０００７】
本発明は、上記課題を解決するため、電装モジュールにリアクタを設けてなる空気調和機の室外機において、前記リアクタのベース板を、第一スペーサを介して台座に固定する一方、同台座を、第二スペーサを介して前記電装モジュールのシャーシに固定してなる構成となっている。又、前記台座が制振材から形成されてなる構成となっている。
【発明の効果】
【０００８】
本発明によると、リアクタを、弾性材からなる円筒状のスペーサを介して、制振鋼板からなる台座に螺着し、同台座を、円筒状の防振材を介して電装モジュールのシャーシに螺着することにより、前記リアクタからの輻射熱を台座で受け、前記シャーシの温度上昇を防止できるようになっている。又、前記台座と前記シャーシとの間に形成される隙間に周囲の空気が流れ込み、前記台座に穿設された多数の前記通風孔から上昇して、前記リアクタの側面側に廻り込むように流れることにより、リアクタ及び台座を効率よく冷却するようになっている。又、前記リアクタから発生した振動は、前記スペーサ及び前記防振材で吸収するとともに、前記台座が制振鋼板からなることにより、そのエネルギの大半が吸収され、振動が外郭筐体に伝搬して騒音が発生する等の不具合を防止することができるようになっている。
【発明を実施するための最良の形態】
【０００９】
以下、本発明の実施の形態を、添付図面に基づいた実施例として詳細に説明する。
【実施例１】
【００１０】
図１は空気調和機の室外機を示す外観斜視図であり、図２はその分解斜視図である。図３は電装部でのリアクタの取付を示す斜視図であり、図４はその正面図である。
【００１１】
空気調和機の室外機１は図１の外観斜視図で示すように、ベース２と、同ベース２上に被着されるフロントパネル１ａ、リアパネル、天板及び側板により外郭筐体を構成し、同外郭筐体の背面に吸込口を、前面に吹出口１ｂを設けている。
【００１２】
前記室外機１の内部は、図２の分解斜視図で示すように、前記ベース２上を仕切板３により左右に区画され、区画された一方に送風機室４を設け、区画された他方に圧縮機室５を設けている。前記送風機室４には、背面に形成された吸込口に臨んで、並列して並べられた多数のフィンと、同フィンに直交するように蛇行状に配設された伝熱管とからなる室外熱交換器７が設けられ、その前面には、取付金具と、同取付金具により支持されたファンモータ及びこれに軸支されたファンからなる送風機８が設けられている。
【００１３】
前記圧縮機室５の底面部には、冷媒を圧縮して前記室外熱交換器７あるいは室内機に備えられた室内熱交換器にこれを送出する圧縮機６及びこれらから還流してきた液化冷媒を一時的に貯留するアキュームレータ等が配設され、その上方には、前記圧縮機６及び前記送風機８等の制御を行う電装モジュール９が設けられており、同電装モジュール９は、金属あるいは樹脂からなる図示していないケースと、同ケース内に配設された電装基板及びシャーシ上に設けられた後述するリアクタ１０とからなっている。
【００１４】
前記圧縮機５で圧縮された冷媒は、前記室外熱交換器７あるいは室内熱交換器に送出され、これら内で凝縮あるいは蒸発して熱交換し気化された冷媒となって前記アキュームレータを経由し、前記圧縮機５に還流するようになっている。又、背面の前記吸込口から吸込まれた室外の空気は、冷媒が循環する前記室外熱交換器７から放出される熱を吸収して加熱されるか、又は前記室外熱交換器７に熱を放出して冷却され、その後、ファンモータにより駆動されるファンからなる前記送風機８により、前面の吹出口１ｂから外部に放出されるようになっている。
【００１５】
前記電装モジュール９の電装基板には、商用電源からの交流電力を直流電力に変換するコンバータ回路と、同コンバータ回路から供給された直流電力を、任意の周波数及び任意の電圧の交流電力に変換して前記圧縮機６等の回転数制御を行うインバータ回路が組込まれている。前記コンバータ回路は交流電流を直流電流に整流するダイオードブリッジからなる整流回路と、整流された波形が山形状に変動する電流をコンデンサ等で平滑するコンデンサ平滑回路とから構成されているため、電流変動が大きく前記圧縮機５を駆動するモータの力率が低下する一方、高調波が発生する。
【００１６】
力率の低下を防ぐため、リアクタ１０が前記電装モジュール９内に設けられ、同リアクタ１０により電流値の所謂導通角を拡大させ、前記圧縮機５を駆動するモータに流れる電流のピーク値を低下させ力率を改善するようになっている。しかしながら、力率は充分に改善されることはなく、前記リアクタ１０にも高調波成分を含んだ電流が流れるため振動が発生し、これが取付金具等を介して前記ベース２あるいは前記フロントパネル１ａ等の外郭筐体に伝搬して騒音を発生させ、又、前記リアクタ１０からは大量の熱が発生するため、これの冷却を充分に行わなければならない。
【００１７】
前記リアクタ１０は積層鉄心と、これに巻回される巻線と、複数の螺子孔を穿設したベース板１０ａとからなり、図３（Ａ）の斜視図及び図３（Ｂ）の正面図で示すように、「背景技術」の項で説明したシャーシ５０に相当するシャーシ９ａ上に設けられており、その上方には電装基板を内蔵したケースが図示してはいないが配設されている。
【００１８】
前記リアクタ１０のベース板１０ａは、ゴム材あるいは樹脂材等からなる円筒状の第一スペーサ１２を介して、台座１１に螺子１３により螺着されている。同台座１１は亜鉛メッキ鋼板製の通常の板金あるいは振動を減衰させる制振鋼板からなり、薄型矩形状に形成されるとともに、中央部に前記螺子１３が螺合する螺子孔を複数穿設し、周縁に後述する螺子１５が挿通する切欠きを複数設けている。又、長孔状の通風孔１１ａを多数穿設している。
【００１９】
前記台座１１の周縁に設けられた切欠きには、ゴム材あるいは軟質樹脂材等の弾性材からなる防振性を備えた第二スペーサ１４が配置され、同第二スペーサ１４の挿通孔を螺子１５が挿通し、前記シャーシ９ａに穿設された螺子孔に螺合することにより前記台座１１は前記シャーシ９ａに固定されるようになっている。これにより前記リアクタ１０は、前記ベース板１０ａと前記台座１１との間に形成される隙間及び同台座１１と前記シャーシ９ａとの間に形成される隙間からなる二重の隙間を介して前記電装モジュール９のシャーシ９ａに固定されるようになっている。又、前記シャーシ９ａの側面には、前記リアクタ１０に冷却空気を導入する導入孔９ｂと、加熱された冷却空気を外部に導出する導出孔９ｃとが相対向するように設けられており、これにより効率的に前記リアクタ１０を冷却できるようになっている。
【００２０】
次に、機能について説明する。電装基板とともに、前記リアクタ１０が起動されると、同リアクタ１０からは大量の熱が発生するとともに、振動が発生する。発生した大量の熱は上昇気流となって上昇するが、これに伴い前記台座１１と前記シャーシ９ａとの間に形成される隙間には前記導入孔９ｂから導入された空気が流れ込み、流れ込んだ空気は前記台座１１に穿設された多数の前記通風孔１１ａを通り上昇する。上昇した空気は前記ベース板１０ａの下面から前記リアクタ１０の側板側に廻り込むように流れながら、同リアクタ１０を効率よく冷却し、又、前記導出孔９ｃから外部に導出されるようになっている。    
【００２１】
又、前記リアクタ１０から発生した振動は、前記第一スペーサ１２を介して前記台座１１に伝搬されるが、同台座１１が制振鋼板からなることにより、そのエネルギが大半吸収され、更に台座１１から前記シャーシ９ａに伝搬しようとする振動は、前記螺子１５に挿通する弾性材からなる第二スペーサ１４により吸収されて前記シャーシ９ａへの伝搬を極力阻止されるようになっている。これによりリアクタ１０の振動が外郭筐体に伝搬して騒音が発生する等の不具合を防止することができるようになっている。
【図面の簡単な説明】
【００２２】
【図１】空気調和機の室外機を示す外観斜視図である。
【図２】空気調和機の室外機を示す分解斜視図である。
【図３】（Ａ）はリアクタの取付を示す要部斜視図である。  （Ｂ）はリアクタの取付を示す正面図である。
【図４】従来のリアクタ取付の一例を示す斜視図である。
【符号の説明】
【００２３】
１  空気調和機の室外機
１ａ  フロントパネル
１ｂ  吹出口
２  ベース
３  仕切板
４  送風機室
５  圧縮機室
６  圧縮機
７  室外熱交換器
８  送風機
９  電装モジュール
９ａ  シャーシ
１０  リアクタ
１１  台座
１１ａ  通風孔
１２  第一スペーサ
１３  螺子
１４  第二スペーサ
１５  螺子
【図１】
2006329488.tif 000003
【図２】
2006329488.tif 000004
【図３】
2006329488.tif 000005
【図４】
2006329488.tif 000006